(57)【要約】【課題】作業者の処理が煩雑になることを防止する。【解決手段】薬剤βを収容する収容箱αとに取付けられ管理装置と通信可能な表示装置４００は、薬剤βに関する薬剤情報として「薬剤有り」を表示し、管理装置１００は、表示制御情報を表示装置に送信し、表示装置４００は、表示制御情報を受信したときに、表示している薬剤情報を「薬剤無し」に更新する。【選択図】図１
2019200586.tif 000002
【特許請求の範囲】
【請求項１】
管理装置と、
対象物を収容する収容箱に取付けられ、前記管理装置と通信可能な表示装置とを備え、
前記表示装置は、前記対象物に関する対象物情報と、前記収容箱の搬送先を示す搬送先情報とのうち少なくとも一方を表示情報として表示する表示部を含み、
前記管理装置は、該管理装置への入力に応じて、表示制御情報を前記表示装置に送信する送信部を含み、
前記表示装置は、前記表示制御情報を受信したときに、前記表示部に表示していた前記表示情報を該表示制御情報に基づいて更新する表示更新部をさらに含む、表示システム。
【請求項２】
前記表示システムは、さらに、複数の中継装置を含み、
前記表示装置と前記管理装置とは、前記複数の中継装置のうちのいずれかの中継装置を経由して通信可能であり、
前記管理装置は、記憶部をさらに備え、
前記記憶部は、
前記表示装置と前記管理装置とが、前記複数の中継装置のうちの第１中継装置を介して通信可能である状態となったときに、前記表示装置と前記管理装置とが、前記第１中継装置を介して通信可能である旨の情報を記憶し、
前記状態であるときにおいて、前記表示装置が、前記複数の中継装置のうちの第２中継装置から受信した電波の強度が、前記表示装置が、前記第１中継装置から受信した電波の強度よりも強くなったときに、前記表示装置と前記管理装置とが、前記第２中継装置を介して通信可能である旨の情報を記憶し、
前記送信部は、前記記憶部の記憶内容に基づいた前記中継装置を経由して、前記表示制御情報を前記表示装置に送信する、請求項１に記載の表示システム。
【請求項３】
前記表示システムは、入力情報が入力される入力装置をさらに備え、
前記管理装置への入力は、前記入力装置からの入力である、請求項１または請求項２に記載の表示システム。
【請求項４】
前記管理装置は、前記表示装置に対して前記表示制御情報を送信したときにおいて、該表示装置が該表示制御情報に基づいて前記表示情報を更新しなかったときには、エラー報知を実行する、請求項１〜請求項３いずれか１項に記載の表示システム。
【請求項５】
対象物を収容する収容箱に取付けられる取付部と、
前記対象物に関する対象物情報と、前記収容箱の搬送先を示す搬送先情報とのうち少なくとも一方を表示情報として表示する表示部と、
管理装置への入力に応じて該管理装置から送信される表示制御情報を受信する受信部と、
前記表示制御情報を受信したときに、前記表示部に表示していた前記表示情報を該表示制御情報に基づいて更新する表示更新部とを備える、表示装置。
【請求項６】
対象物を収容する収容箱に取付けられる表示装置に対して、前記対象物に関する対象物情報と、前記収容箱の搬送先を示す搬送先情報とのうち少なくとも一方を表示情報として該表示装置に表示させるための表示制御情報を送信する送信部と、
入力を受付ける入力部とを備え、
前記送信部は、前記表示装置が表示している前記表示情報を更新させるための表示制御情報を、前記入力部への入力に応じて前記表示装置に送信する、管理装置。
【請求項７】
対象物を収容する収容箱に取付けられる表示装置が、前記対象物に関する対象物情報と、前記収容箱の搬送先を示す搬送先情報とのうち少なくとも一方を表示情報として表示するステップと、
管理装置が、該管理装置への入力に応じて、表示制御情報を前記表示装置に送信するステップと、
前記表示装置が、前記表示制御情報を受信したときに、表示していた前記表示情報を該表示制御情報に基づいて更新するステップとを備える、表示方法。
【発明の詳細な説明】
【技術分野】
【０００１】
本開示は、表示システム、表示装置、管理装置、および表示方法に関する。
【背景技術】
【０００２】
従来、患者に対して、点滴を開始する際に、たとえば、輸液剤とこの輸液剤が輸液される患者名の確認を促すことが可能な点滴用フックが提案されている。
【先行技術文献】
【特許文献】
【０００３】
【特許文献１】特開２００３−１１１８２０号公報
【発明の概要】
【発明が解決しようとする課題】
【０００４】
ところで、点滴治療を施す患者に対して、該患者に必要な輸液剤などの薬剤（飲み薬、塗り薬などを含む）を作業者（たとえば、看護師）が搬送する場合がある。たとえば、一の作業者が、薬剤を患者に提供した場合において、該薬剤を患者に提供したか否かを他の作業者が認識する必要がある。この場合には、他の作業者は、薬剤を患者に提供したか否かを一の作業者に問いかける必要があり、作業者の処理が煩雑になるという問題があった。
【０００５】
また、作業者が、薬剤を一の保管庫に搬送した後に、該薬剤を他の保管庫に搬送する必要がある。このような場合において、作業者は、紙媒体のマニュアルを見ることにより、薬剤を搬送すべき保管庫を認識する必要があった。この紙媒体のマニュアルを読みながらの搬送は、作業者にとって煩雑であるという問題もあった。
【０００６】
本開示は、たとえば、病院などの施設内において、作業者の負担を軽減させる表示システム、表示装置、管理装置、および表示方法を提供することである。
【課題を解決するための手段】
【０００７】
本開示のある局面に従う表示システムは、管理装置と、対象物を収容する収容箱に取付けられ、管理装置と通信可能な表示装置とを備える。表示装置は、対象物に関する対象物情報と、収容箱の搬送先を示す搬送先情報とのうち少なくとも一方を表示情報として表示する表示部を含む。管理装置は、該管理装置への入力に応じて、表示制御情報を表示装置に送信する送信部を含む。表示装置は、表示制御情報を受信したときに、表示部に表示していた表示情報を該表示制御情報に基づいて更新する表示更新部をさらに含む。
【０００８】
好ましくは、表示システムは、さらに、複数の中継装置を含む。表示装置と管理装置とは、複数の中継装置のうちのいずれかの中継装置を経由して通信可能である。管理装置は、記憶部をさらに備える。記憶部は、表示装置と管理装置とが、複数の中継装置のうちの第１中継装置を介して通信可能である状態となったときに、表示装置と管理装置とが、第１中継装置を介して通信可能である旨の情報を記憶し、状態であるときにおいて、表示装置が、複数の中継装置のうちの第２中継装置から受信した電波の強度が、表示装置が、第１中継装置から受信した電波の強度よりも強くなったときに、表示装置と管理装置とが、第２中継装置を介して通信可能である旨の情報を記憶する。送信部は、記憶部の記憶内容に基づいた中継装置を経由して、表示制御情報を表示装置に送信する。
【０００９】
好ましくは、表示システムは、入力情報が入力される入力装置をさらに備える。管理装置への入力は、入力装置からの入力である。
【００１０】
好ましくは、管理装置は、表示装置に対して表示制御情報を送信したときにおいて、該表示装置が該表示制御情報に基づいて表示情報を更新しなかったときには、エラー報知を実行する。
【００１１】
本開示の他の局面に従うと表示装置が提供される。この表示装置は、対象物を収容する収容箱に取付けられる取付部と、対象物に関する対象物情報と、収容箱の搬送先を示す搬送先情報とのうち少なくとも一方を表示情報として表示する表示部と、管理装置への入力に応じて該管理装置から送信される表示制御情報を受信する受信部と、表示制御情報を受信したときに、表示部に表示していた表示情報を該表示制御情報に基づいて更新する表示更新部とを備える。
【００１２】
本開示の他の局面に従うと管理装置が提供される。この管理装置は、対象物を収容する収容箱に取付けられる表示装置に対して、対象物に関する対象物情報と、収容箱の搬送先を示す搬送先情報とのうち少なくとも一方を表示情報として該表示装置に表示させるための表示制御情報を送信する送信部と、入力を受付ける入力部とを備え、送信部は、表示装置が表示している表示情報を更新させるための表示制御情報を、入力部への入力に応じて表示装置に送信する。
【００１３】
本開示の他の局面に従うと表示方法が提供される。この表示方法は、対象物を収容する収容箱に取付けられる表示装置が、対象物に関する対象物情報と、収容箱の搬送先を示す搬送先情報とのうち少なくとも一方を表示情報として表示するステップと、管理装置が、該管理装置への入力に応じて、表示制御情報を表示装置に送信するステップと、表示装置が、表示制御情報を受信したときに、表示していた表示情報を該表示制御情報に基づいて更新するステップとを備える。
【発明の効果】
【００１４】
本開示によれば、たとえば、病院などの施設内において、作業者の負担を軽減させることができる。
【図面の簡単な説明】
【００１５】
【図１】本実施形態の適用例を示す図である。
【図２】本実施形態の表示システムの一例を示す図である。
【図３】本実施形態の表示装置の一例を示す図である。
【図４】本実施形態の管理装置などのハードウェア構成の一例を示す図である。
【図５】本実施形態の表示装置のハードウェア構成の一例を示す図である。
【図６】本実施形態の表示装置の機能構成の一例を示す図である。
【図７】本実施形態の表示装置のフローチャートである。
【図８】本実施形態の管理情報の一例である。
【図９】本実施形態の表示システムの処理を示す図である。
【図１０】本実施形態の表示システムの処理を示す図である。
【図１１】本実施形態の入力装置の表示画面の一例を示す図である。
【図１２】本実施形態の表示装置の表示画面の一例を示す図である。
【図１３】本実施形態の入力装置の表示画面の一例を示す図である。
【図１４】本実施形態の表示装置の表示画面の一例を示す図である。
【図１５】本実施形態の入力装置の表示画面の一例を示す図である。
【図１６】本実施形態の表示装置の表示画面の一例を示す図である。
【図１７】本実施形態の患者ＤＢの一例を示す図である。
【図１８】本実施形態の表示制御ＤＢの一例を示す図である。
【図１９】表示システムの処理の流れの一例を示す図である。
【図２０】エラー報知用テーブルの一例を示す図である。
【図２１】第２実施形態の表示装置の表示画面の一例を示す図である。
【図２２】第２実施形態の表示装置の表示画面の一例を示す図である。
【図２３】第３実施形態の表示システムの処理を示す図である。
【図２４】第３実施形態の表示装置の表示画面の一例を示す図である。
【図２５】第３実施形態の表示装置の表示画面の一例を示す図である。
【図２６】第３実施形態の入力装置の表示画面の一例を示す図である。
【発明を実施するための形態】
【００１６】
[第１実施形態]
本発明に基づいた実施の形態における表示装置および表示システムについて、以下、図を参照しながら説明する。以下に説明する実施の形態において、同一の部品、相当部品に対しては、同一の参照番号を付し、重複する説明は繰り返さない場合がある。また、各実施の形態における構成を適宜組み合わせて用いることは当初から予定されていることである。
【００１７】
本実施形態では、収容箱は、対象物が収容される箱（ケース）である。対象物は、たとえば、患者に投与される薬剤である。収容箱は、薬剤が収容される薬剤ケースである。病院内で入院している入院患者に対して、作業者（たとえば、看護師）は、薬剤ケースに収容されている薬剤を提供する。
【００１８】
[適用例]
図１は、本実施形態の適用例を示す図である。図１を用いて、本実施形態の適用例を説明する。図１は、病院内で、作業者Ｘ（ユーザともいう。）が、収容箱αに収容されている薬剤βを、患者に提供する状況を示した図である。図１（Ａ）は、作業者Ｘが、薬剤βの提供を開始するときを示す図である。薬剤βは、患者に提供される対象となる薬剤である。図１では、図面を分かり易くするために、収容箱αおよび表示装置の表示の大きさを実際のサイズよりも大きく記載している。
【００１９】
本実施形態では、図１（Ａ）に示すように、収容箱αには、表示装置４００が取付けられている（装着されている）。表示装置４００は、種々の情報を表示する。表示装置４００は、たとえば、電子タグ、ＩＣタグなどである。図１（Ａ）の例では、表示装置４００は、部屋番号と、患者番号と、患者の氏名と、処方内容と、薬剤情報とが示されている。部屋番号は、患者の氏名の欄に示されている患者が滞在している部屋の識別情報（識別番号）である。図１（Ａ）の例では、部屋番号は、Ａ１０３である。患者番号は、患者の氏名の欄に示されている患者の識別情報（識別番号）である。図１（Ａ）の例では、患者番号は、Ｎｏ１１４０である。氏名は、患者の氏名は、患者の氏名を示す。図１（Ａ）の例では、患者の氏名は、Ｓｕｚｕｋｉ  Ｔａｒｏである。処方内容は、患者の氏名の欄に示されている患者に処方される薬剤の名称である。図１（Ａ）の例では、処方内容は、ＤＡ１０００である。また、処方内容については、薬剤が１種類であれば、該１種類の薬剤としてもよく、薬剤が２種類以上であれば、該２種類以上の薬剤を特定可能な名称となる。また、処方内容は、患者に処方される薬剤のグループ（複数の薬剤）を示すものとしてもよい。薬剤情報は、収容箱に収容されている対象物である薬剤に関する情報である。
【００２０】
図１（Ａ）の例では、薬剤情報は、「薬剤有り」という文言が示された情報である。「薬剤有り」という情報は、第１表示情報である。「薬剤有り」という情報は、該薬剤情報を表示している表示装置４００が取付けられている収容箱αに薬剤βが収容されている旨、および薬剤βが患者に供給されていない旨を示す情報である。
【００２１】
作業者Ｘは、図１（Ａ）の表示装置４００の表示を視認することにより、患者の氏名は、Ｓｕｚｕｋｉ  Ｔａｒｏであること、この患者の患者番号はＮｏ１１４０であること、この患者の部屋番号はＡ１０３であること、この患者の処方内容はＤＡ１０００であること、この処方内容により示される薬剤が収容箱αに収容されていることを認識できる。
【００２２】
図１（Ｂ）は、作業者Ｘが、収容箱αに収容されている薬剤βを、収容箱αから取出し、入院患者Ｚ（図１の例では、Ｓｕｚｕｋｉ  Ｔａｒｏ）に提供することを示している図である。
【００２３】
図１（Ｃ）は、入院患者Ｚに対する薬剤βの提供が終了したことを示す図である。作業者Ｘが、入院患者Ｚに対する薬剤βの提供が終了したと判断すると（図１（Ｃ）の吹き出し参照）、入力装置２００に対して、入院患者Ｚに対する薬剤βの提供が終了した旨の情報を入力する。
【００２４】
図１（Ｄ）は、表示装置４００の表示が更新されたことを示す。表示装置４００の表示の更新は、たとえば、入力装置２００に対する入力を契機に行われる。図１（Ｄ）の例では、薬剤情報が、「薬剤有り」から「提供完了」に切替えられたことを示す。「提供完了」という情報は、第２表示情報である。「提供完了」という情報は、該薬剤情報を表示している表示装置４００が取付けられている収容箱αに収容されていた薬剤βが患者に供給された旨を示す情報である。
【００２５】
図１（Ｄ）に示すように、表示装置４００が、第２表示情報などを表示することにより、作業者Ｘのみではなく、作業者Ｙに対しても、Ｓｕｚｕｋｉ  Ｔａｒｏという患者に、ＤＡ１０００という薬剤が提供された旨を認識させることができる。したがって、他の作業者Ｙは、薬剤を患者に提供したか否かを一の作業者Ｘに問いかける必要がなくなり、作業者Ｙの処理が煩雑になることを防止できる。したがって、作業者の負担を軽減できる。
【００２６】
［表示システムの構成例］
図２は、本実施形態の表示システム１０００の機能構成例を示す図である。図２を用いて、本実施形態の表示システム１０００の機能構成例を説明する。図２の例では、表示システム１０００は、表示装置４００と、入力装置２００と、複数のアクセスポイント３００，．．．，３００ｎ，．．．，３００Ｎ（Ｎは２以上の整数、ｎは１〜Ｎの間の整数）と、複数のルータ３５０１，．．．，３５０ＭＮ（Ｍは２以上の整数）と、表示装置４００とを含む。表示装置４００は、図１でも説明したように、収容箱αに付されている。また、この表示システム１０００は、たとえば、病院などの施設内に設置される。
【００２７】
１のアクセスポイントは、複数（図２の例では、Ｍ個）のルータと無線接続されている。図２の例では、アクセスポイント３００は、ルータ３５０１，．．．，３５０ｍ，．．．ルータ３５０Ｍ（ｍは１〜Ｍの間の整数）それぞれと接続されている。また、アクセスポイント３００Ｎは、ルータ３５０Ｎ１〜ルータ３５０ＮＭそれぞれと接続されている。また、特に図示されていないが、アクセスポイント３００ｎ、および他のアクセスポイントそれぞれにもＭ個のルータが接続されている。なお、変形例として、複数のアクセスポイント（Ｎ個のアクセスポイント）のうち、少なくとも１つのアクセスポイントは、他のアクセスポイント、接続されているルータの数が異なるようにしてもよい。
【００２８】
表示装置４００→１のルータ→１のアクセスポイント→管理装置１００という順番で、表示装置４００は、管理装置１００へ種々の情報を送信する。また、管理装置１００→１のアクセスポイント→１のルータ→表示装置４００という順番で、管理装置１００は、表示装置４００へ種々の情報を送信する。
【００２９】
このように、表示装置４００と、管理装置１００とは、１のルータおよび１のアクセスポイントを経由して、お互いに情報を通信可能とする。１のルータおよび１のアクセスポイントを「中継装置」ともいう。図２の例では、アクセスポイント３００と、ルータ３５０１とが中継装置８００１を構成する。また、アクセスポイント３００と、ルータ３５０ｍとが中継装置８００ｍを構成する。図２では特に図示していないが、他の１のアクセスポイントと、他の１のルータとも中継装置を構成する。
【００３０】
このように、本実施形態の中継装置は、２つの装置（アクセスポイントと、ルータ）により構成される。なお、変形例として、中継装置は１の装置で構成するようにしてもよく、３以上の装置で構成するようにしてもよい。
【００３１】
以下では、複数のルータをまとめて、ルータ３５０という場合もあり、複数のアクセスポイントをまとめて、アクセスポイント３００という場合もあり、複数の中継装置をまとめて、中継装置８００という場合もある。
【００３２】
また、１つのルータ３５０（中継装置８００）が表示装置と通信可能な範囲（エリア）は予め定められている。図２に示すように、複数の中継装置のうち、表示装置４００が、中継装置８００１のエリア内に存在する場合には、表示装置４００は、該中継装置８００１を経由して、管理装置１００と通信可能である。その後、表示装置４００が取付けられている収容箱αが移動（搬送）されることにより、表示装置４００が、中継装置８００１のエリア外に存在し、かつ、中継装置８００ＮＭのエリア内に存在したとする。この場合には、表示装置４００は、該中継装置８００ＮＭを経由して、管理装置１００と通信可能である。
【００３３】
表示装置４００（表示装置４００が取付けられている収容箱α）が移動し得る全エリア（以下、「移動エリア」ともいう。）は、複数の中継装置８００１，．．．，８００ＮＭそれぞれのエリアを足し合わせたエリア（以下、全通信可能エリア）で網羅されている。したがって、この移動エリア内においては、表示装置４００（表示装置４００が取付けられている収容箱α）がいずれに移動されようとも、表示装置４００は、複数の中継装置８００１，．．．，８００ＮＭのいずれかの中継装置を経由して、管理装置１００と通信可能となる機能を有する。本実施形態では、このような機能をローミング機能という。
【００３４】
また、１つのルータ（中継装置）と表示装置とは、好ましくは無線通信される。この無線の周波数帯域は、他の無線通信も適用できる周波数帯域とすることが好ましい。該無線での周波数帯域は、９２０ＭＨｚ帯（Ｓｕｂ−ＧＨｚ）とされる。より詳細には、無線での周波数は９２２．６〜９２３．４ＭＨｚとされる。
【００３５】
管理装置１００は、表示システム１０００を管理するサーバ装置である。入力装置２００は、種々の情報が入力される装置である。入力装置２００は、たとえば、ＰＣ（personal computer）、タブレット、スマートフォンなどである。
【００３６】
［表示装置４００の外観図］
図３は、本実施形態の表示装置４００の外観の斜視図を示す図である。図３を用いて、本実施形態の表示装置４００の外観の斜視図を説明する。
【００３７】
表示装置４００は、直方体形状である。また、図３（Ａ）に示すように、表示装置４００の一面に、表示部４０２（表示面）が設けられている。該表示部４０２に種々の情報（たとえば、図１（Ａ）に示す情報）が表示される。図３（Ｂ）は、表示装置４００の表示面と対向する面を示した図である。図３（Ｂ）に示すように、表示装置４００において、表示部４０２と対向する面には、取付部４０８が設けられている。取付部４０８は、収容箱αに対して表示装置４００を取付けるための部材である。取付部はどのような部材であってもよい。たとえば、表示装置４００の取付部と対応する取付部は、収容箱αに設けられている。表示装置４００の取付部が、収容箱αの取付部に取付けられることにより、表示装置４００は、収容箱αに取り付けられる。取付部は、たとえば、マジックテープ（登録商標）としてもよい。また、取付部はスナップボタンとしてもよい。
【００３８】
［管理装置および入力装置のハードウェア構成例］
図４は、入力装置２００のハードウェア構成例を示す図である。図４を用いて、入力装置２００のハードウェア構成例を説明する。図４に示すように、入力装置２００は、プログラムを実行するＣＰＵ（Central Processing Unit）２０１と、データを不揮発的に格納するＲＯＭ（Read Only Memory）２０２と、データを揮発的に格納するＲＡＭ（Random Access Memory）２０３と、フラッシュメモリ２０４と、ディスプレイ２０５と、操作部２０７と、通信ＩＦ（Interface）２０８とを含む。ディスプレイ２０５は種々の情報を表示する。また、作業者などのユーザは、操作部２０７を操作することにより、情報を入力する。つまり、操作部２０７は、情報の入力を受付ける入力部として機能する。操作部２０７は、たとえば、マウスとキーボードなどを含む。また、ディスプレイ２０５がタッチパネルとして機能する場合には、操作部２０７は、タッチパネルも含む。
【００３９】
通信ＩＦ２０８は、外部装置（たとえば、管理装置１００、アクセスポイント３００）に対して情報を送信するともに、外部装置から情報を受信する。つまり、通信ＩＦ２０８は、情報を送受信する送受信部として機能する。
【００４０】
フラッシュメモリ２０４は、不揮発性の半導体メモリである。フラッシュメモリ２０４は、ＣＰＵ２０１が実行するオペレーティングシステムおよび各種のプログラム、各種のコンテンツおよびデータを格納している。また、フラッシュメモリ２０４は、入力装置２００が生成したデータ、入力装置２００の外部装置から取得したデータ等の各種データを揮発的に格納する。
【００４１】
また、管理装置１００のハードウェア構成は、たとえば、図４のディスプレイ２０５、操作部２０７などを省略したハードウェア構成である。
【００４２】
このように、管理装置１００および入力装置２００における処理は、各ハードウェアおよびＣＰＵ２０１により実行されるソフトウェアによって実現される。このようなソフトウェアは、フラッシュメモリ２０４に予め記憶されている場合がある。また、管理装置１００および入力装置２００に処理を実行させるプラグラムは、フラッシュメモリ２０４、メモリカードその他の記憶媒体に格納されたソフトウェア、あるいはネットワークを介してダウンロード可能なソフトウェアであるともいえる。
【００４３】
なお、記憶媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００４４】
ここでいうプログラムとは、ＣＰＵにより直接実行可能なプログラムだけでなく、ソースプログラム形式のプログラム、圧縮処理されたプログラム、暗号化されたプログラム等を含む。
【００４５】
［表示装置のハードウェア構成例］
図５は、表示装置４００のハードウェア構成例を示す図である。図５を用いて、表示装置４００のハードウェア構成例を説明する。表示装置４００は、ハードウェアとして、送信アンテナ４０１と、受信アンテナ４０３と、電池４０７と、マイコン４０５と、ディスプレイ４０６とを備える。
【００４６】
送信アンテナ４０１は、たとえば、中継装置８００経由で、管理装置１００に対して情報を送信する。受信アンテナ４０３は、たとえば、中継装置８００経由で、管理装置１００からの情報を受信する。マイコン４０５は、種々の処理を実行する。マイコン４０５の制御により、ディスプレイ４０６（表示部４０２に対応）は種々の情報を表示する。また、電池４０７からの電力は、たとえば、マイコン４０５に供給される。この電力によりマイコン４０５は起動する。
【００４７】
また、図５を、図４の記載に基づいて説明すると、送信アンテナ４０１と受信アンテナ４０３とは、通信ＩＦ２０８に対応する。マイコン４０５は、ＣＰＵ２０１と、ＲＯＭ２０２と、ＲＡＭ２０３などに対応する。ディスプレイ４０６は、ディスプレイ２０５に対応する。
【００４８】
［表示装置の機能構成例］
図６は、表示装置４００の機能構成例を示す図である。表示装置４００は、送受信部４２０（受信部）の機能と、表示更新部４２２の機能と、電波測定部４２３の機能と、表示部４０２の機能と、スリープ部４２４の機能と、制御部４２５の機能とを有する。送受信部４２０は、たとえば、管理装置１００から表示制御情報を受信する。表示制御情報は、表示部４０２が表示している情報を更新するための情報である。
【００４９】
表示更新部４２２は、表示部４０２の表示を制御する。送受信部４２０が、たとえば、表示制御情報を受信すると、表示更新部４２２は、該表示制御情報に基づいて、表示部４０２に情報を表示させる。また、送受信部４２０が、たとえば、表示制御情報を受信すると、表示更新部４２２は、該表示制御情報に基づいて、表示部４０２の表示を更新する。表示部４０２は、ディスプレイ４０６と対応する。
【００５０】
電波測定部４２３は、ローミング機能を実現するためのものである。電波測定部４２３は、ルータ３５０からの電波の強度を測定する。表示装置４００は、複数のルータのうち電波が最も強いルータと無線接続される。
【００５１】
スリープ部４２４は、所定のスリープ条件が成立したときに、表示装置４００をスリープ状態に制御する。スリープ状態とは、たとえば、管理装置１００からの情報の受信処理はできる一方、他の処理（たとえば、表示部４０２の表示処理）の実行を停止する状態である。
【００５２】
制御部４２５は、表示装置４００の種々の構成部を制御する。
［スリープ条件について］
次に、スリープ条件について説明する。表示装置４００は、中継装置８００経由で、管理装置１００と種々の情報を送受信する。たとえば、停電などにより、管理装置１００（表示システム１０００）が処理を停止した場合において、表示装置４００が表示処理を継続すると、電池４０７の電力を無駄に消耗してしまう。そこで、スリープ部４２４が、管理装置１００の停止などを認識した場合には、表示装置４００をスリープ状態に制御する。
【００５３】
次に、スリープ部４２４が管理装置１００の停止を認識する手法の一例を説明する。スリープ部４２４は、送受信部４２０経由で、管理装置１００に対して表示装置側確認信号を送信する。管理装置１００は、該表示装置側確認信号を受信すると、管理装置側確認信号を表示装置４００（スリープ部４２４）に送信する。表示装置４００と管理装置１００とは、一定期間毎（たとえば、５分毎）に、表示装置側確認信号と管理装置側確認信号との送受信を実行する。表示装置４００は、表示装置側確認信号と管理装置側確認信号との送受信を実行している間は、管理装置１００（表示システム１０００）が処理を実行している（停電などが生じていない）と判断する。
【００５４】
仮に、停電などにより管理装置１００が処理を停止している場合には、スリープ部４２４が、表示装置側確認信号を管理装置１００に送信しても、管理装置１００は管理装置側確認信号を表示装置４００に送信しない。スリープ部４２４が、表示装置側確認信号を管理装置１００に送信した場合において、該送信から所定時間（たとえば、１分）経過しても、管理装置側確認信号を受信しない場合には、スリープ部４２４は、管理装置１００の処理が停止していると判断し、表示装置４００をスリープ状態に制御する。
【００５５】
つまり、スリープ条件は、「表示装置側確認信号を管理装置１００に送信した場合において、該送信から所定時間（たとえば、１分）経過しても、管理装置側確認信号を受信しないことにより成立する条件」を含む。
【００５６】
また、停電などにより、管理装置１００が処理を停止している場合において（表示装置４００がスリープ状態である場合において）、停電が復旧した場合には、管理装置１００は表示装置４００に対して管理装置側確認信号を送信する。スリープ状態である表示装置４００が、該管理装置側確認信号を受信すると、スリープ部４２４は、スリープ状態を解除して通常状態に制御することにより、停止していた他の処理を実行するようになる。また、スリープ部４２４が表示装置４００をスリープ状態に制御する場合には、表示装置４００が表示していた表示情報を、たとえば、所定の記憶領域に記憶する。そして、スリープ部４２４は、スリープ状態を解除して表示装置４００を通常状態に制御する場合には、表示部４０２は、該記憶領域に記憶されたデータに基づいた情報（つまり、スリープ状態に制御されたときに表示されていた表示情報）を表示する。
【００５７】
また、表示装置４００の電源がオフにされた場合には、該オフにされたときに表示装置４００が表示していた表示情報は、たとえば、不揮発性メモリに記憶される。その後、表示装置４００の電源がオンにされた場合には、該不揮発性メモリに記憶されたデータに基づいた情報（つまり、電源オフ時に表示されていた表示情報）を表示する。
【００５８】
［ローミング機能について］
次に、表示装置４００のローミング機能を説明する。図７は、ローミング機能を実現するためのフローチャートである。図７の記載について、表示装置４００と、第１中継装置と、第２中継装置と、管理装置１００との処理を示す。第１中継装置および第２中継装置とは、複数の中継装置に含まれる装置である。図７は、表示装置４００が、複数の中継装置のうちの第１中継装置（たとえば、中継装置８００１）を介して通信可能である第１状態であるときに実行される処理である。また、図７に示されている表示装置４００の処理は、所定時間ごとに実行される処理である。
【００５９】
まず、ステップＳ１０２において、電波測定部４２３は、第１中継装置からの電波を受信し、該電波の強度を測定する。ステップS１０４において、送受信部４２０は、制御部４２５の制御の元、第１中継装置からの電波を受信した旨の受信情報を該第１中継装置に対して送信する。
【００６０】
ステップS１０６において、第１中継装置は、この受信情報を受信し、該受信情報を管理装置１００に対して送信する。管理装置１００は、この受信情報を受信することにより、表示装置４００が、第１中継装置と通信可能である旨の情報（第１情報）を記憶する。
【００６１】
図８は、表示装置４００と、該表示装置４００が接続されている（通信可能とされている）中継装置との対応関係を示す管理テーブル表である。本実施形態の表示システムでは、複数の表示装置が用いられる。図８（A）の例では、表示装置４００Ａ、表示装置４００Ｂ、および表示装置４００Ｃが規定されている。図８（Ａ）の例では、表示装置４００Ａは、中継装置８００１と接続されている。図８（Ａ）の例では、表示装置４００Ｂは、中継装置８００２と接続されている。図８（Ａ）の例では、表示装置４００Ｃは、中継装置８００４と接続されている。この管理テーブル表は、管理装置１００の所定の記憶領域に記憶される。
【００６２】
Ｓ１０８において、管理装置１００がこの受信情報を受信することにより、管理装置１００は、表示装置４００Ａが中継装置８００１と通信可能である旨を示す情報を記憶する。
【００６３】
次に、Ｓ１１０において、電波測定部４２３は、他の中継装置（第２中継装置）からの電波を受信した場合において、現在、接続されている中継装置（第１中継装置）からの電波の強度（ステップＳ１０２で測定した強度）と、該他の中継装置からの電波の強度とを比較する。第２中継装置とは、第１中継装置（たとえば、中継装置８００１）とは異なる中継装置であり、たとえば、中継装置８００ＮＭである。
【００６４】
制御部４２５が、第２中継装置からの電波の強度の方が、第１中継装置からの電波の強度よりも強いと判断した場合には（ステップＳ１１０のＹＥＳ）、Ｓ１１２に進む。
【００６５】
Ｓ１１２において、制御部４２５は、接続対象の装置を、第１中継装置から、他の装置（第２中継装置）に切替える。その後、Ｓ１１４において、制御部４２５は、第２中継装置に切替えた旨を示す切替情報を第２中継装置に送信する。ステップＳ１１６において、第２中継装置は、この切替情報を受信し、該切替情報を管理装置１００に対して送信する。
【００６６】
ステップＳ１１８において、管理装置１００がこの切替情報を受信することにより、管理装置１００は、表示装置４００Ａが中継装置８００ＮＭと通信可能である旨を示す情報を記憶する。
【００６７】
このように、管理装置１００が、ステップＳ１０８の処理を実行したとき、つまり、表示装置４００Ａが中継装置８００１と通信可能である旨の情報を記憶したときには、管理テーブル表は、図８（Ａ）に示すテーブル表となる。その後、管理装置１００が、ステップＳ１０８の処理を実行したとき、つまり、表示装置４００Ａが中継装置８００１と通信可能である旨の情報を記憶したときには、管理テーブル表は、図８（Ｂ）に示すテーブル表となる。
【００６８】
図８（Ｂ）では、表示装置４００Ａは、中継装置８００ＮＭと接続されていることが規定されている。
【００６９】
複数の表示装置それぞれが、図７に示す処理を実行することにより、管理装置１００は、該複数の表示装置それぞれが接続している中継装置を常に把握できる。したがって、管理装置１００は、表示制御情報の送信先の中継装置を常に把握できる。
【００７０】
［表示システムの処理の流れ］
次に、表示システム１０００を病院に適用した場合を説明する。図９は、病院のうち、薬剤（薬）が貯蔵されている施設（以下、「薬局」という。）で表示システムが適用されている例を示す。図１０は、病院のうち、患者が滞在している施設（以下、「病室」という。）で表示システムが適用されている例を示す。
【００７１】
なお、中継装置８００は、薬局内での表示システムと病室内での表示システムとで異なる。また、表示装置４００は、前述のローミング機能を有していることにより、該表示装置４００が薬局内に位置しているときでも、該表示装置４００が病室内に位置しているときでも、複数の中継装置のいずれかと通信可能となる。図９の例では、表示装置４００は、中継装置８００１と通信可能とされている。図１０の例では、表示装置４００は、中継装置８００ＮＭと通信可能とされている。
【００７２】
まず、図９について説明する。薬局内には、種々の薬剤が保管されている薬剤保管棚Ｗ１と、提供ワゴンＷ２と、薬剤が収容される薬剤ケース６００（図１の収容箱βに対応）とがある。また、薬剤ケース６００の所定箇所に表示装置４００が取付けられる。
【００７３】
ステップ（１）において、作業者は、入力装置２００に対して、入力情報を入力する。この入力情報とは、たとえば、薬剤の提供の対象となる患者の氏名（以下、「患者氏名」ともいう。）である。
【００７４】
図１１は、ステップ（１）において入力情報（患者氏名）が入力されたときの表示画面である。図１１の表示画面は、入力装置２００のディスプレイ２０５に表示される画面である。図１１の例では、名前という文言と、氏名入力領域２０８０とが表示されている。作業者は、氏名入力領域２０８０に対して、患者氏名を入力する。氏名入力領域２０８０などの入力領域に対する患者の氏名の入力は、たとえば、操作部２０７（キーボード、マウスなど）を用いて実行される。図１１の例では、氏名入力領域２０８０に患者の氏名として「Ｓｕｚｕｋｉ  Ｔａｒｏ」が入力された例を示している。入力された患者氏名は、入力装置２００から管理装置１００に送信される。また、氏名入力領域２０８０に患者の氏名が入力されたときには、入力装置２００は、図１１の画面から図１３の画面に切替える。
【００７５】
管理装置１００は、該患者氏名（入力情報）を受信すると、予め記憶されている患者ＤＢ（DataBase）に基づいて、表示制御情報を生成する。図１７は、患者ＤＢの一例を示したものである。図１７の例では、患者氏名と、種々の情報とが対応付けられている。図１７の例での種々の情報は、部屋番号を示す情報と、患者番号を示す情報と、処方内容を示す情報と、表示装置ＩＤとを示す情報を含む。表示装置ＩＤとは、表示装置４００を識別するための情報である。図１７の例では、表示装置４００ＩＤとして、表示装置の参照符号が示されている。
【００７６】
図１７の例では、たとえば、患者氏名「Ｓｕｚｕｋｉ  Ｔａｒｏ」については、部屋番号「Ａ１０３」と、患者番号「Ｎｏ１１４０」と、処方内容「ＤＡ１０００」と、表示装置４００Ａとが対応付けられている。このように、患者氏名「Ｓｕｚｕｋｉ  Ｔａｒｏ」の人物に対しては、表示装置４００Ａが対応付けられている（表示装置４００Ａが用いられる）。
【００７７】
また、図１７の例では、たとえば、患者氏名「Ｔｏｋｋｙｏ  Ｈａｎａｋｏ」については、部屋番号「Ｃ２０１」と、患者番号「Ｎｏ１１４１」と、処方内容「ＤＡ１００２」と、表示装置４００Ｂとが対応付けられている。また、図１７では、他の患者については、記載が省略されている。
【００７８】
この患者ＤＢは、管理装置１００内の所定の記憶領域（たとえば、ＲＯＭ）などに予め記憶されている。また、この患者ＤＢの各情報は、病院内の医師、および看護師などにより入力される。たとえば、入院患者の情報などが、医師、および看護師などにより入力装置２００から入力されることにより、患者ＤＢは、構築される。つまり、病院内の医師、および看護師などが、各患者に対して、部屋番号、患者番号、および用いられる表示装置などを決定する。
【００７９】
管理装置１００は、入力装置２００から入力された患者氏名に基づいて、図１７の患者ＤＢを参照して、表示制御情報を生成する。ステップ（１）において、入力装置２００から、患者氏名として、たとえば、「Ｓｕｚｕｋｉ  Ｔａｒｏ」が入力された場合について説明する。この場合には、管理装置１００は、該「Ｓｕｚｕｋｉ  Ｔａｒｏ」に対応する種々の情報を、表示制御情報として、中継装置８００１を経由して表示装置４００に対して送信する。
【００８０】
この表示制御情報は、患者氏名が「Ｓｕｚｕｋｉ  Ｔａｒｏ」であり、部屋番号が「Ａ１０３」であり、患者番号が「Ｎｏ１１４０」であり、処方内容が「ＤＡ１０００」であり、薬剤情報が「薬剤無し」であることを含む情報である。管理装置１００からの表示情報制御情報に基づいて、表示装置４００は、図１２の画面を表示する。
【００８１】
図１２は、表示装置４００が、患者の情報として表示する画面の一例である。図１２の例では、部屋番号「Ａ１０３」と、患者番号「Ｎｏ１１４０」と、患者の氏名「Ｓｕｚｕｋｉ  Ｔａｒｏ」と、処方内容（薬剤の名称）「ＤＡ１０００」とが表示される。さらに、図１２の例では、薬剤情報として、「薬剤無し」という情報２０８３が表示される。この「薬剤無し」という情報２０８３は、該薬剤情報が表示されている薬剤ケース６００に薬剤が収容されていないことを示す情報である。表示装置４００が、薬剤情報「薬剤無し」という情報を表示することにより、該表示装置４００が取付けられている薬剤ケース６００に薬剤が収容されていないことを、作業者などに認識させることができる。
【００８２】
次に、作業者は、図１２の画面を視認して、「Ｓｕｚｕｋｉ  Ｔａｒｏ」に処方される薬剤が、「ＤＡ１０００」であることを認識する。ステップ（２）において、作業者は、薬剤保管棚Ｗ１から「ＤＡ１０００」の薬剤を取出し、図１２の画面を表示している表示装置４００が取付けられている薬剤ケース６００に収容させる。
【００８３】
次に、ステップ（３）において、作業者は、入力装置２００に対して、入力情報を入力する。この入力情報は、「入力装置２００から薬剤ケース６００に「ＤＡ１０００」の薬剤を収容したことを示す情報」である。図１３は、この入力情報が入力される入力画面の一例である。この入力画面は、入力装置２００により表示される画面である。
【００８４】
図１３の例では、部屋番号と患者番号と処方内容（薬剤の名称）と確認情報とが表示される。この確認情報とは、図１３の例では、薬剤を収容したか否かを作業者などに確認するための情報である。図１３の例では、確認情報は、「薬剤を入れましたか？」といった文言の情報である。
【００８５】
図１３の画面が表示されたときにおいて、作業員が、薬剤ケース６００に薬剤を収容したと判断すると、終了有無領域２０８２にＹＥＳを入力する。このように、作業者は、入力装置２００の入力画面において、収容すべき薬剤（図１３の例では、ＤＡ１０００）を認識した上で、終了有無領域２０８２にＹＥＳといった情報を入力することができる。したがって、たとえば、作業者が、収容すべき薬剤とは異なる薬剤を収容してしまうこと、つまり、間違った薬剤を収容してしまうことを防止できる。また、図１３の終了有無領域２０８２にＹＥＳが入力されたときには、入力装置２００は、図１３の画面から図１５の画面に切替える。
【００８６】
終了有無領域２０８２に「ＹＥＳ」が入力されると、該「ＹＥＳ」を示す情報が、入力装置２００から管理装置１００に対して送信される。管理装置１００が、該「ＹＥＳ」を示す情報を受信すると、ステップ（４）において、管理装置１００は、表示装置４００に対して表示制御情報を送信する。
【００８７】
この表示制御情報は、対象物（つまり、薬剤）に関する情報を更新させるための情報である。図１４は、表示装置４００が、該表示制御情報に基づいて更新した表示情報の一例である。図１４の例では、「薬剤有り」という情報２０８４が薬剤情報として表示される。「薬剤有り」という情報２０８４は、図１４の例では、薬剤が、薬剤ケース６００に収容されていることを示す情報である。表示装置４００が、「薬剤有り」という情報２０８４を表示することにより、「ＤＡ１０００」の薬剤を薬剤ケース６００に収容した作業者が、改めて、「ＤＡ１０００」の薬剤が収容されていることを確認できるとともに、他の作業者も「ＤＡ１０００」の薬剤が収容されていることを確認できる（図１（Ａ）参照）。
【００８８】
次に、ステップ（６）において、作業者は、薬剤「ＤＡ１０００」が収容された薬剤ケース６００を提供ワゴンＷ２に収納する。
【００８９】
次に、作業者は、表示装置４００が表示している部屋番号（Ａ１０３）を視認して、図１０のステップ（７）において、提供ワゴンＷ２をＡ１０３の部屋まで搬送する。次に、ステップ（８）において、作業者は、表示装置４００が表示している部屋番号（Ａ１０３）と患者氏名と、病室に設置されている名札８５０とが一致するか否かを確認する。一致していれば、提供ワゴンＷ２の中から、患者氏名として「Ｓｕｚｕｋｉ  Ｔａｒｏ」を表示している表示装置４００が取付けられている薬剤ケース６００を取出す。
【００９０】
次に、ステップ（９）において、作業者は、該薬剤ケース６００に収容されている薬剤「ＤＡ１０００」を取り出して、「Ｓｕｚｕｋｉ  Ｔａｒｏ」の薬箱Ｗ３に収容する。この薬箱Ｗ３に薬剤を収容することにより、該薬箱Ｗ３に対応する患者に薬剤を提供したことになる（図１（Ｂ）参照）。
【００９１】
次に、ステップ（１０）において、作業者は、入力装置２００に対して、提供した旨を入力する（図１（Ｃ）参照）。図１５は、該提供した旨が入力される入力画面の一例である。図１５の例では、部屋番号と患者番号と処方内容（薬剤の名称）と確認情報とが表示される。この確認情報とは、図１５の例では、患者に対して薬剤を提供したか否かを作業者などに確認するための情報である。図１５の例では、確認情報は、「提供が終わりましたか」といった文言の情報である。
【００９２】
図１５の画面が表示されたときにおいて、作業員が、薬剤を患者に提供したと判断すると、終了有無領域２０８６にＹＥＳを入力する。このように、作業者は、入力装置２００の入力画面において、提供すべき薬剤および該薬剤を提供すべき患者を認識した上で、終了有無領域２０８６にＹＥＳといった情報を入力することができる。したがって、たとえば、作業者が、提供すべき薬剤とは異なった薬剤を患者に提供してしまうこと、つまり、間違った薬剤を患者に提供してしまうことを防止できる。また、作業者が、提供すべき患者とは異なった患者に薬剤を提供してしまうこと、つまり、間違った患者に薬剤を提供してしまうことを防止できる。
【００９３】
終了有無領域２０８６にＹＥＳが入力された場合には、表示装置４００は、図１６の画面を表示する。図１６の例では、「提供完了」という情報２０９０が薬剤情報として表示される。「提供完了」という情報２０９０は、患者への薬剤の提供が完了したことを示す情報である。表示装置４００が、「提供完了」という情報２０９０を表示することにより、Ｓｕｚｕｋｉ  Ｔａｒｏという患者に「ＤＡ１０００」の薬剤を提供した作業者Ｘが、改めて、「ＤＡ１０００」の薬剤がＳｕｚｕｋｉ  Ｔａｒｏという患者に提供されたことを確認できるとともに、他の作業者Ｙも、「ＤＡ１０００」の薬剤がＳｕｚｕｋｉ  Ｔａｒｏという患者に提供されたことを確認できる（図１（Ｄ）参照）。
【００９４】
［表示制御ＤＢについて］
次に、表示制御ＤＢについて、説明する。管理装置１００は、該表示制御ＤＢに基づいて、表示制御情報のうち薬剤情報を生成する。薬剤情報は、図１２、図１４、および図１６に示す情報である。薬剤情報は、作業者などにより入力装置２００に対して入力される毎に更新される情報でもある。
【００９５】
表示制御ＤＢは、患者ＤＢ（図１７参照）に対応して生成される。たとえば、患者ＤＢについての情報（たとえば、患者の氏名）が入力されたときに、該情報に応じて表示制御ＤＢが生成される。
【００９６】
図１８は、表示制御ＤＢの一例を示す図である。図１８の例では、表示装置ＩＤごとに、表示制御情報（薬剤情報など）が対応付けられている。また、表示制御データベースは、病院内の医師、および看護師などにより変更可能である。表示制御データベースを変更させるための操作は、管理装置１００に対して行うようにしてもよく、入力装置２００に対して行うようにしてもよい。
【００９７】
図１８の例では、表示装置４００Ａには、薬剤名「ＤＡ１０００」が対応付けられている。さらに、表示装置ＩＤには、薬剤情報と、薬剤情報の順序を示す順序情報とが対応付けられている。ここで、順序情報は、薬剤情報の順序を示す情報である。
【００９８】
図１８の例では、１番目に薬剤情報として「薬剤無し」という情報が表示され、２番目に薬剤情報として「薬剤有り」という情報が表示され、３番目に薬剤情報として「提供完了」という情報が表示されることが示されている。
【００９９】
管理装置１００は、ステップ（１）において、患者氏名を入力すると、管理装置１００は、図１７の患者ＤＢのうちの、患者氏名に対応する患者情報（部屋番号、患者番号、処方内容、表示装置ＩＤ）とを取得する。これとともに、管理装置１００は、該患者情報のうちの表示装置ＩＤに対応する薬剤情報を表示制御ＤＢから取得する。管理装置１００は、該患者情報と、薬剤情報である「薬剤無し」という情報を、表示制御情報として中継装置に対して送信する。管理装置１００は、図８で説明した管理テーブル表に基づいて、送信先の中継装置を特定する。管理装置１００は、該管理装置１００の該特定した中継装置のアドレスに対して、表示制御情報を送信する。これにより、管理装置１００は、該中継装置を経由して、表示装置４００に対して表示制御情報を送信する。表示装置４００は、この表示制御情報を受信すると、図１２の画面を表示する。
【０１００】
また、管理装置１００は、送信した薬剤情報については、送信済フラグを格納する。ここで送信済フラグは、薬剤情報を送信したことを示す（送信済みであることを示す）フラグである。たとえば、図１８の例では、表示装置４００Ａについて、「薬剤無し」という薬剤情報を送信したときには、該「薬剤無し」について送信済みフラグが格納される。なお、図１８の例では、たとえば、表示装置４００Ｂについての薬剤情報である「薬剤無し」について送信済みフラグが格納されているが示されている。
【０１０１】
また、ステップ（３）において、作業者が、「薬剤を入れましたか」という確認情報に対して「Ｙｅｓ」を入力すると、管理装置１００は、患者情報のうちの表示装置ＩＤに対応する薬剤情報であって、送信済みフラグが対応付けられている薬剤情報の次の薬剤情報（薬剤有り）を取得する。管理装置１００は、薬剤情報である「薬剤有り」という情報を表示制御情報として中継装置に対して送信する。表示装置４００は、この表示制御情報を受信すると、図１４の画面を表示する。
【０１０２】
また、ステップ（１０）において、作業者が、「薬剤が提供されましたか」という確認情報に対して「Ｙｅｓ」を入力すると、管理装置１００は、患者情報のうちの表示装置ＩＤに対応する薬剤情報であって、送信済みフラグが対応付けられている薬剤情報の次の薬剤情報（提供完了）を取得する。管理装置１００は、薬剤情報である「提供完了」という情報を表示制御情報として中継装置に対して送信する。表示装置４００は、この表示制御情報を受信すると、図１６の画面を表示する。
【０１０３】
このように、表示装置４００は「薬剤無し」→「薬剤有り」→「提供完了」という流れで、薬剤情報を更新する。また、入力装置２００の入力画面は、「図１１の表示」→「図１１の画面で患者の氏名が入力されると図１３の表示」→「図１３の画面でＹｅｓ入力されると、図１５の画面の表示」といった流れで更新される。この入力画面を更新させるためのデータ（入力画像データ）は、入力装置２００の所定領域に格納されている。
【０１０４】
また、薬剤情報は本実施形態の情報に限られず、他の情報としてもよい。たとえば、ある患者に対して、午前１０時に薬剤Ａを提供する必要があると共に、午後３時に薬剤Ｂを提供する必要がある場合があるとする。この場合には、表示装置４００は「薬剤無し」→「薬剤Ａと薬剤Ｂとが有り」→「薬剤Ａ提供完了。薬剤Ｂを１５時に提供必要」→「薬剤Ａおよび薬剤Ｂ提供完了」などという流れで、薬剤情報を更新する。表示装置４００が、このような更新を行う場合には、図１８の薬剤情報については、１番目として「薬剤無し」が記憶され、２番目として「薬剤Ａと薬剤Ｂとが有り」が記憶され、３番目として「薬剤Ａ提供完了。薬剤Ｂを１５時に提供必要」が記憶され、４番目として「薬剤Ａおよび薬剤Ｂ提供完了」が記憶される。このように患者に対して薬剤を提供する態様に応じて、図１８の薬剤情報を変更することができる。
【０１０５】
［表示システムの処理フローについて］
図１９は、本実施形態の表示システム１０００の主な処理を示した処理フローの一例を示す図である。図１９を用いて表示システム１０００の主な処理を説明する。図１９は、図１８に示す表示制御データベースに基づいて実行される例である。なお破線の矢印は、１の装置から他の装置に対して情報を送信していることを示す。
【０１０６】
まず、ステップＳ１において、入力装置２００は、該入力装置２００により表示される入力画面（図１１参照）から患者氏名が入力されたか否かを判断する。次に、ステップＳ２において、入力装置２００は、入力された患者氏名を管理装置１００に対して送信する。
【０１０７】
次に、ステップＳ３において、管理装置１００は、薬剤情報を「薬剤無し」とする表示制御情報を送信する。図１９では特に図示しないが、管理装置１００は、その他の情報（部屋番号、患者番号、名前、処方内容）も表示装置４００に対して送信する。
【０１０８】
次に、ステップＳ４において、表示装置４００は、部屋番号の情報、患者番号の情報、名前の情報、処方内容の情報を表示するとともに、薬剤情報として「薬剤無し」という情報も表示する。
【０１０９】
次に、ステップＳ６において、表示装置４００は、更新完了情報を管理装置１００に対して送信する。この更新完了情報とは、管理装置１００から送信された表示制御情報に基づいた更新が完了したことを示す情報である。ステップＳ８において、管理装置１００は、表示装置４００からの更新完了情報を受信する。管理装置１００は、該更新完了情報を受信することにより、ステップＳ２で送信した表示制御情報に基づいた更新表示を表示装置４００が完了したことを認識できる。
【０１１０】
また、入力装置２００は、薬剤の収容の終了が入力される入力画面（図１３の画面）を表示している。ステップＳ１０において、入力装置２００は、作業者などの操作に基づいて、薬剤収容完了を示す情報（図１３のＹｅｓ）が入力されたか否かを判断する。ステップＳ１０において、該薬剤収容完了が入力されたと入力装置２００が判断した場合には（ステップＳ１０でＹＥＳ、図９のステップ（３））、ステップＳ１２に進む。また、入力装置２００が該処理開始が入力されたと判断するまでステップＳ１０の処理が繰返される。
【０１１１】
ステップＳ１２において、入力装置２００は、薬剤収容完了情報（薬剤の終了が完了した旨を示す情報）を管理装置１００に対して送信する。管理装置１００は、該薬剤収容完了情報を受信すると、ステップＳ１４において、薬剤情報を「薬剤有り」とする表示制御情報を表示装置４００に対して送信する（ステップ（４））。
【０１１２】
ステップＳ１６において表示装置４００は、該表示制御情報に基づいて、薬剤情報として「薬剤無し」から「薬剤有り」に更新する（ステップ（５））。次に、ステップＳ１８において、ステップＳ１６の更新が完了したことを示す更新完了情報を、表示装置４００は、管理装置１００に対して送信する。
【０１１３】
ステップＳ２０において、管理装置１００は、更新完了情報を受信することにより、ステップＳ１４で送信した表示制御情報に基づいた更新表示を表示装置４００が完了したことを認識できる。
【０１１４】
また、入力装置２００は、薬剤の患者への提供の完了が入力される入力画面（図１５の画面）を表示している。ステップＳ２２において、入力装置２００は、薬剤提供完了を示す情報（図１５のＹｅｓ）が入力されたか否かを判断する。ステップＳ２２において、入力装置２００が、該薬剤提供完了が入力されたと判断した場合には（ステップＳ２２でＹＥＳ、図１０のステップ（１０））、ステップＳ２４に進む。また、入力装置２００が該処理開始が入力されたと判断するまで、ステップＳ２２の処理が繰返される。
【０１１５】
ステップＳ２４において、入力装置２００は、薬剤提供完了情報（薬剤の患者への提供が完了した旨を示す情報）を管理装置１００に対して送信する。管理装置１００は、薬剤提供完了情報を受信すると、ステップＳ２６において、薬剤情報を「提供完了」とする表示制御情報を表示装置４００に対して送信する（ステップ（１１））。
【０１１６】
ステップＳ２８において表示装置４００は、該表示制御情報に基づいて、薬剤情報として「薬剤有り」から「提供完了」に更新する。
【０１１７】
次に、ステップＳ３０において、表示装置４００は、ステップＳ２８の更新が完了したことを示す更新完了情報を、管理装置１００に対して送信する。ステップＳ３２において、管理装置１００は、更新完了情報を受信することにより、ステップＳ２６で送信した表示制御情報に基づいた更新表示を表示装置４００が完了したことを認識できる。
【０１１８】
［エラー処理について］
次に、表示システムのエラー処理について説明する。図１９でも説明したように、管理装置１００は、表示制御情報を表示装置４００に対して送信する。表示装置４００は、該表示制御情報により示される更新が完了した場合には、該更新が完了したこと示す更新完了情報を送信する（図１９のＳ６、Ｓ１８、Ｓ３０を参照）。以下では、この更新完了情報を、「表示制御情報に対応した更新完了情報」という。管理装置１００は、表示制御情報を送信したときから、所定期間経過までに更新完了情報を受信することにより、該管理装置が送信した表示制御情報により示される更新が完了したことを認識できる。また、所定期間は、予め定められた期間であり、たとえば、１分とする。
【０１１９】
一方で、管理装置１００が表示装置４００に対して表示制御情報を送信したが、該管理装置１００は、該表示制御情報に対応した更新完了情報を所定期間経過までに受信できない場合がある。この場合とは、たとえば、表示装置４００の電池切れ（図５の電池４０７参照）により、更新完了情報を送信できない場合と、表示制御情報と更新完了情報とのうち少なくとも一方の送信を遮断する遮断物が存在する場合とがある。
【０１２０】
このように、管理装置１００は、表示装置４００に対して表示制御情報を送信したときにおいて、該表示制御情報の送信から所定期間が経過するまでに更新完了情報を受信できない場合には、エラーが発生したと判断する。このエラーの発生とは、表示装置４００が該表示制御情報に基づいて前記表示情報を更新しなかったと推定される事象である。また、管理装置１００は、エラーが発生したと判断した場合には、エラー報知を実行する。
【０１２１】
次にエラー報知について説明する。エラー報知は、たとえば、作業者Ｘに対して、表示装置４００のエラーが発生したことを報知する処理である。図２０は、エラー報知用テーブルの一例を示す図である。エラー報知用テーブルは、管理装置１００の所定領域に記憶されている。図２０を用いて、エラー報知の一例を説明する。
【０１２２】
図２０の例では、複数の表示装置４００の各々に、識別番号（表示装置ＩＤ）が割り振られている。図２０の例では、複数の表示装置４００それぞれに対して、４００Ａ、４００Ｂ、４００Ｃ・・・という表示装置ＩＤが割り振られている。また、表示装置ＩＤそれぞれには、報知対象機器ＩＤが割り振られている。報知対象機器とは、エラー報知が実行される機器である。報知対象機器は、たとえば、作業者Ｘが携帯可能な電子機器（たとえば、ＰＨＳ、スマートフォンなど）である。報知対象機器ＩＤは、複数の報知対象機器に割り振られた識別情報である。作業者Ｘは、作業者Ｘが担当する収容箱に取付けられる表示装置に対応する報知対象機器を保持する。
【０１２３】
図２０の例では、表示装置４００Ａおよび表示装置４００Ｂには、報知対象機器Ｍ１が対応付けられている。また、表示装置４００Ｃには、報知対象機器Ｍ２が対応付けられている。たとえば、作業者Ｘは、表示装置４００Ｃが取付けられる収容箱を担当する場合には、報知対象機器Ｍ２を保持する。
【０１２４】
また、図２０の例では、表示装置ＩＤそれぞれの状態が対応付けられる。正常状態とは、エラーが発生していない状態である。エラー状態とは、エラーが発生している状態である。図２０の例では、表示装置４００Ａおよび表示装置４００Ｂは、正常状態であり、表示装置４００Ｃはエラー状態であることが示されている。
【０１２５】
管理装置１００は、エラーが発生したと判断したことに応じて、図２０の状態を更新する。管理装置１００は、エラー状態であると判断した表示装置４００に対応する報知対象機器に対して、エラー報知を実行する。図１９の例では、表示装置４００Ｃがエラー状態であることから、表示装置４００Ｃに対応する報知対象機器Ｍ２に対してエラー報知を実行する。このエラー報知は、たとえば、報知対象機器Ｍ２を振動させる処理と、報知対象機器Ｍ２からエラー音を出力させる処理と、報知対象機器Ｍ２の表示部にエラー発生などといった文字を表示する処理とをのうち少なくとも１つを含む。
【０１２６】
報知対象機器に対してエラー報知を実行することにより、該報知対象機器を携帯している作業者Ｘ、つまり、該報知対象機器に対応する表示装置が付されている収容箱αを処理している（担当している）作業者Ｘに対して、表示装置がエラー状態であることを認識させることができる。
【０１２７】
［本実施形態の表示システムにより奏する効果］
次に、本実施形態の表示システム１０００により奏する効果を説明する。
【０１２８】
（Ａ）  表示装置４００は、該表示装置４００が取付けられている収容箱（薬剤ケース）に収容されている薬剤に関する薬剤情報（対象物情報）を表示する。本実施形態では、薬剤情報は、「薬剤無し」、「薬剤有り」、および「提供完了」である。本実施形態では、作業者が、配薬ケースに薬剤を収容して、該収容した旨を入力装置２００に入力すると、表示装置は、「薬剤無し」から「薬剤有り」に更新される。また、作業者が、配薬ケースに収容されている薬剤を患者に提供して、該提供した旨を入力装置２００に入力すると、表示装置は、「薬剤有り」から「提供完了」に更新される。
【０１２９】
したがって、入力装置２００に対して情報を入力した作業者Ｘのみならず、他の作業者（図１（Ｄ）に示す作業者Ｙなど）が、表示装置４００の表示を視認することにより、薬剤がどのような状態なのかを認識できる。したがって、他の作業者は、薬剤を患者に提供したか否かなどを一の作業者Ｘに問いかける必要がなく、作業者の負担を軽減させることができる。
【０１３０】
（Ｂ）  また、表示装置４００は、図７で説明したローミング機能を有する。より典型的には、図７で説明したように、表示装置４００が、全通信可能エリア内であれば、如何なる場所に移動しようとも、表示装置４００は、管理装置１００からの表示制御情報に基づいて、薬剤情報などを表示することができる。したがって、表示装置４００が取付けられた薬剤ケース６００が種々の場所に移動され得る状況（たとえば、薬局から病室から薬剤ケース６００が運搬される状況）であっても、表示装置４００は適切に薬剤情報などを表示できる。また、表示装置４００が取付けられた薬剤ケース６００が種々の場所に移動され得る状況であっても、他の作業者は、薬剤情報を視認できることから、作業者の負担を軽減させることができる。
【０１３１】
（Ｃ）  また、表示制御情報が表示装置４００に対して送信される所定契機は、「図９および図１０のステップ（１）、ステップ（３）、およびステップ（１０）に示すように、作業者Ｘなどにより入力装置２００に対して入力情報が入力されることにより成立する契機」である。したがって、本実施形態の表示システムを病院などの施設に導入する場合には、表示システムの導入者は、該施設に元々設置されている既存の情報処理装置（たとえば、ＰＣ、スマートフォン）を入力装置として用いることができる。
【０１３２】
本実施形態の表示システムを病院などの施設に導入する場合には、表示システムの導入者は、管理装置１００と、表示装置４００とを導入するとともに、既存の情報処理装置に、表示システムを実現するためのソフトウェアをダウンロードさせる。
【０１３３】
表示システムのこのような導入手法により、安価に該表示システムを導入することができる。
【０１３４】
（Ｄ）  また、図１などでも説明したように、収容箱α（薬剤ケース６００）は、移動される物（作業者Ｘなどにより搬送される物）である。また、図７などでも説明したように、「上述の移動エリア内であれば、表示装置４００は、管理装置１００と通信可能とする機能」であるローミング機能を有する。したがって、移動エリア内において、表示装置４００が、いずれに移動されても、表示装置４００による表示情報の表示、および表示装置４００による表示情報の切替が実行される。したがって、表示システム１０００の利便性を向上できる。また、図７のステップＳ１１０でも説明したように、表示装置４００は、電波強度が最も強い中継装置と接続される。したがって、管理装置１００と表示装置４００とはお互いに安定した通信を実行することができる。
【０１３５】
［第２実施形態］
次に、第２実施形態を説明する。第１実施形態の表示装置４００による表示内容は、収容箱（たとえば、薬剤ケース）に収容されている対象物（たとえば、薬剤）に関する対象物情報であるとして説明した。第２実施形態では、表示装置４００による表示内容は、収容箱の搬送先を示す搬送先情報とする。
【０１３６】
第２実施形態の表示システムを病院に適用した場合について説明する。さらに以下のような状況を想定して説明する。薬剤が収容されている薬剤ケースが保管庫Ａ（図示せず）に保管されている。この薬剤ケースに表示装置が取付けられている。この薬剤ケースに収容されている薬剤を、病室Ｂ１０３に滞在している患者「Ｓｕｚｕｋｉ  Ｔａｒｏ」に提供する。該薬剤の提供が終了した後（たとえば、配薬ケースが空になった後）には、保管庫Ａに戻す。
【０１３７】
図２１および図２２は、第２実施形態の表示装置４００が表示する表示画面の一例である。図２１の例では、搬送先情報として「行先：病室Ｂ１０３」という情報２０９２、患者名として「患者名：Ｓｕｚｕｋｉ  Ｔａｒｏ」という情報と、処方内容として「ＸＹＺ」という情報が表示されている。
【０１３８】
作業者Ｘは、図２１の搬送先情報（「行先：病室Ｂ１０３」という情報２０９２）を視認することにより、薬剤ケースを病室Ｂ１０３に搬送することを認識できる。作業者Ｘは、図２１の患者名を視認することにより、薬剤を提供する患者が「Ｓｕｚｕｋｉ  Ｔａｒｏ」であることを認識できる。作業者Ｘは、図２１の処方内容を視認することにより、処方内容は「ＸＹＺ」であることを認識できる。
【０１３９】
作業者Ｘは、図２１の表示情報に基づいて、病室Ｂ１０３の患者「Ｓｕｚｕｋｉ  Ｔａｒｏ」に「ＸＹＺ」の薬剤を提供したとする。その後、作業者Ｘは、提供を終了した旨を入力装置２００に対して入力する。入力装置２００は、該入力された入力情報を管理装置１００に対して送信する。管理装置１００は、受信した入力情報に基づいて表示制御情報を生成して、該表示制御情報を中継装置を経由して表示装置に対して送信する。表示装置４００は、該表示制御情報に基づいて、図２２に示す表示情報を表示する。
【０１４０】
図２２の例では、搬送先情報として「行先：保管庫Ａ」という情報２０９４、患者名として「患者名：Ｓｕｚｕｋｉ  Ｔａｒｏ」という情報と、処方内容として「薬剤無し」という情報が表示されている。
【０１４１】
作業者Ｘは、図２２の搬送先情報（「行先：保管庫Ａ」という情報２０９４）を視認することにより、薬剤ケースを保管庫Ａに搬送することを認識できる。作業者Ｘは、図２２の患者名を視認することにより、薬剤の提供を完了した患者が「Ｓｕｚｕｋｉ  Ｔａｒｏ」であることを認識できる。作業者Ｘは、図２２の処方内容を視認することにより、「薬剤が無い」、つまり、薬剤ケースが空であることを認識できる。
【０１４２】
このように、第２実施形態の表示装置４００は、搬送先情報（図２１の例では、病室Ｂ１０３、図２２の例では、保管庫Ａ）を表示することができる。したがって、作業者Ｘに対して薬剤ケースの搬送先を認識させることができる。また、作業者Ｘが、搬送先での処理（たとえば、患者への薬剤の提供）を終了したと判断すると、該終了した旨を入力装置２００に対して入力する。該入力に基づく管理装置１００の制御の元、表示装置４００は、図２１の画面から図２２の画面に切替える。作業者Ｘ、および該作業者Ｘとは異なる作業者Ｙは、図２２の画面を視認することにより、薬剤ケース６００の次の搬送先（保管庫Ａ）を認識することができる。したがって、作業者Ｘおよび作業者Ｙに紙媒体のマニュアルを読ませる手間を省くことができることから、作業者Ｘおよび作業者Ｙの処理が煩雑になることを防止できる。よって、作業者の処理が煩雑になることを防止できる。
【０１４３】
また、第２実施形態の表示装置４００は、搬送先情報のみではなく、薬剤情報も表示する。したがって、作業者Ｘは、該薬剤情報を視認することにより、薬剤ケースに収容されている薬剤に関する情報も認識できる。たとえば、作業者Ｘおよび他の作業者Ｙは、図２１の薬剤情報を視認することにより、「薬剤ＸＹＺが収容されていること」を認識できる。また、この薬剤情報は、入力装置２００への入力情報の入力を契機に、図２２の薬剤情報に更新される。作業者Ｘおよび他の作業者Ｙは、図２２の薬剤情報を視認することにより、「薬剤ケースが空であること」を認識できる。したがって、たとえば、作業者Ｙは、患者「Ｓｕｚｕｋｉ  Ｔａｒｏ」に薬剤を提供したか否を、作業者Ｘに対して問いかける必要はない。したがって、作業者の処理が煩雑になることを防止できる。
【０１４４】
また、表示装置４００は、薬剤情報を表示せずに搬送先情報を表示する構成としてもよい。つまり、表示装置４００は、薬剤情報と搬送先情報とのうち少なくとも一方を表示する構成としてもよい。
【０１４５】
また、管理装置１００は、表示装置４００で表示される薬剤情報の順序を規定したＤＢ（たとえば、図１８に対応する情報）を保持している。
【０１４６】
［第３実施形態］
次に第３実施形態について説明する。この第３実施形態では、表示システムを工場に設置した場合を説明する。この第３実施形態では、表示装置４００は、表示情報として、搬送先情報を表示する。
【０１４７】
本実施形態では、収容箱は、対象物が収容される箱（ケース）である。対象物は、処理装置による処理の対象となる物である。対象物は、たとえば、製造物の材料である。施設内で、作業者は、対象物が収容されている収容箱を、搬送させるべき場所に搬送する。この搬送の手法は、たとえば、作業者が自力で該収容箱を搬送してもよく、また、台車または搬送装置に該収容箱を載置して搬送してもよい。このように、収容箱は、工場内の作業者による作業（搬送）の対象物である。
【０１４８】
図２３は、本実施形態を示す図である。図２３を用いて、本実施形態の適用例を説明する。図２３は、工場内で、作業者Ｘ（ユーザともいう。）が、収容箱９２０（対象物９３０が収容されている箱）に対して作業を行う状況を示した図である。収容箱９２０は、表示装置４００が取付けられている。
【０１４９】
最初は、収容箱９２０は、保管庫Ｃに保管されているとする。また、保管庫Ｃに保管されている状態では、表示装置４００と管理装置１００とは、中継装置８００１を介して通信可能である。
【０１５０】
たとえば、作業者が、入力装置２００に対して作業を開始する旨の情報を入力する。そうすると、ステップ（１）において、管理装置１００は、中継装置８００１経由で、表示装置４００に対して表示制御情報を送信する。
【０１５１】
図２４は、表示装置４００がこの表示制御情報を受信したときに表示する画面の一例である。図２４の例では、搬送先情報４０２１として、処理装置Ａ１が表示されている。この搬送先情報４０２１は、収容箱９２０を処理装置９００Ａが位置する場所まで搬送すべきことを示している。また、この搬送先情報４０２１は、収容箱９２０に収容されている対象物９３０を処理装置９００Ａに処理させるべきものであることも示している。
【０１５２】
次に、ステップ（２）において、図２４の表示情報を視認した作業者は、収容箱９２０を処理装置９００Ａに搬送したとする。また、処理装置９００Ａまで収容箱９２０を搬送した状態では、該収容箱９２０に取付けられている表示装置４００は、中継装置８００２と接続される。
【０１５３】
作業者は、処理装置９００Ａによる対象物９３０への処理が終了したことを確認した場合には、ステップ（３）において、処理装置９００Ａによる対象物９３０への処理が終了した旨を入力する。図２６は、入力装置２００により表示される入力画面の一例である。図２６の例では、箱ＩＤと、製品名と、処理装置の名称と、確認情報である「更新しますか？」という文言が表示されている。
【０１５４】
作業者は、処理装置９００Ａによる対象物９３０への処理が終了したことを確認した場合には、終了有無領域２０５４にＹＥＳといった入力情報を入力する。入力装置２００は、該入力された入力情報を管理装置１００に対して送信する。管理装置１００は、受信した入力情報に基づいて表示制御情報を生成する。ステップ（４）において、管理装置１００は、中継装置８００２を経由して該表示制御情報を表示装置４００に対して送信する。この表示制御情報は、たとえば、処理装置Ａによる処理が終了した対象物９３０に対して、次の処理装置Ｂを表示させるための情報である。表示装置４００は、該表示制御情報に基づいて、図２５に示す表示情報を表示する。
【０１５５】
図２５の例では、図２３の画面と比較して、図２５では搬送先情報が、「処理装置Ａ」であるのに対し、図２５では搬送先情報が、「処理装置Ｂ」である点で両図面は異なる。この搬送先情報（処理装置Ｂ）は、収容箱９２０を処理装置９００Ｂが位置する場所まで搬送すべきことを示している。また、この搬送先情報は、収容箱９２０に収容されている対象物９３０を処理装置９００Ｂに処理させるべきものであることも示している。
【０１５６】
このように、第３実施形態の表示装置４００は、搬送先情報（処理装置９００Ａ）を表示することができる。したがって、作業者に対して収容箱９２０の搬送先を認識させることができる。また、作業者Ｘが、搬送先での処理（たとえば、処理装置９００Ａでの処理）を終了したと判断すると、該終了した旨を入力装置２００に対して入力する。該入力に基づく管理装置１００の制御の元、表示装置４００は、図２４の画面から図２５の画面に切替える。作業者は、図２５の画面を視認することにより、収容箱９２０の次の搬送先（処理装置Ｂ）を認識することができる。したがって、作業者は、たとえば、紙媒体のマニュアルを見ることにより、収容箱９２０の搬送先を認識する必要はない。よって、作業者に紙媒体のマニュアルを読ませる手間を省くことができることから、作業者の処理が煩雑になることを防止できる。
【０１５７】
また、第３実施形態の変形例として、表示装置４００は、該表示装置４００が取付けられている収容箱９２０に収容されている対象物９３０の関する対象物情報を表示するようにしてもよい。たとえば、対象物情報は、処理装置による処理が終了したか否かを示す情報としてもよい。
【０１５８】
たとえば、処理装置Ａによる処理および処理装置Ｂによる処理のいずれも終了していない場合には、表示装置４００は、対象物情報として、「処理未終了」という情報を表示する。その後、処理装置Ａによる処理が終了したが、処理装置Ｂによる処理が終了していない場合には、表示装置４００は、対象物情報として、「処理装置Ａでの処理は終了。処理装置Ｂでの処理は未終了」という情報を表示する。その後、処理装置Ａによる処理、および処理装置Ｂによる処理の双方が終了した場合には、表示装置４００は、対象物情報として、「処理装置Ａおよび処理装置Ｂでの処理は終了」という情報を表示する。
【０１５９】
このような第３実施形態の変形例であれば、入力装置２００に対して情報を入力した作業者Ｘのみならず、他の作業者が、表示装置４００の表示を視認することにより、対象物がどのような状態なのか（処理が終了した処理装置）を認識できる。したがって、他の作業者は、薬剤を患者に提供したか否かなどを一の作業者に問いかける必要がなく、作業者の負担を軽減させることができる。
【０１６０】
［変形例］
以上、本発明の実施例を図面により説明してきたが、本発明はこの実施例に限定されるものではない。本発明は、上記の実施例に限られず、種々の変形、応用が可能である。
【０１６１】
（１）  本実施形態の表示システムが適用される施設は、病院などであるとして説明した。しかしながら、表示システムが適用される施設は他の施設であってもよい。たとえば、表示システムを建設現場に適用するようにしてもよい。この場合には、作業員は、土が保管されている保管場所から、土を取出し、この土（対象物）を収容箱に収容した上で、トラック車などで建設現場に搬送する。この建設現場では、搬送された土が、建造物の建設のために用いられる。また、収容箱には、表示装置が取付けられる。表示装置は、対象物情報と、搬送先情報とのうち少なくとも１つの情報を表示する。対象物情報は、たとえば、「収容されている土の種類（土の名称）」、および「土が建設現場に搬送されたか否か」のうち少なくとも１つとしてもよい。また、搬送先情報は、たとえば、収容箱を搬送させる建設現場の場所を示す情報などとしてもよい。
【０１６２】
また、保管場所および建設現場のそれぞれに、１以上の中継装置が設置されている。これにより、保管場所および建設現場それぞれにおいて、表示装置のローミング機能を実現できる。また、作業者が、入力情報を入力する入力装置は、たとえば、作業者が携帯可能な携帯機器（たとえば、スマートフォン）としてもよい。また、管理装置は、該１以上の中継装置と、入力装置とが共通して設置される。
【０１６３】
このような実施形態が採用された表示システムであっても、前述の実施形態と同様の効果を奏する。
【０１６４】
（２）  第１実施形態の薬剤情報は、薬剤の有無を示す情報、および薬剤を患者に提供したか否かを示す情報を含むとして説明した。しかしながら、薬剤情報は、他の情報としてもよい。たとえば、薬剤情報は、薬剤の名称を示す情報としてもよい。この場合において、薬剤ケースに収容されている薬剤が代替された場合には、該代替された旨の入力情報を作業者などが入力装置に入力する。この入力を契機に、管理装置からの表示制御情報により、表示装置は、代替後の薬剤の名称を薬剤情報として表示するようにしてもよい。
【０１６５】
（３）  本実施形態では、管理装置が、表示装置に対して表示制御情報を送信する契機は、管理装置への入力であるとして説明した。本実施形態では、管理装置への入力は、たとえば、入力装置からの入力であるとして説明した。しかしながら、管理装置への入力は、他の装置からの入力としてもよい。他の装置は、たとえば、表示装置としてもよい。このような構成によれば、表示装置が、本実施形態の入力装置の機能も果たすことになり、表示システムの部品点数を削減できる。
【０１６６】
また、今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【０１６７】
１００  管理装置、２００  入力装置、４００  表示装置、４０１  送信アンテナ、４０２  表示部、４０３  受信アンテナ、４０５  マイコン、４０７  電池、４０８  取付部、４２０  送受信部、４２２  表示更新部、４２３  電波測定部、４２４  スリープ部、４２５  制御部、１０００  表示システム。
【図１】
2019200586.tif 000003
【図２】
2019200586.tif 000004
【図３】
2019200586.tif 000005
【図４】
2019200586.tif 000006
【図５】
2019200586.tif 000007
【図６】
2019200586.tif 000008
【図７】
2019200586.tif 000009
【図８】
2019200586.tif 000010
【図９】
2019200586.tif 000011
【図１０】
2019200586.tif 000012
【図１１】
2019200586.tif 000013
【図１２】
2019200586.tif 000014
【図１３】
2019200586.tif 000015
【図１４】
2019200586.tif 000016
【図１５】
2019200586.tif 000017
【図１６】
2019200586.tif 000018
【図１７】
2019200586.tif 000019
【図１８】
2019200586.tif 000020
【図１９】
2019200586.tif 000021
【図２０】
2019200586.tif 000022
【図２１】
2019200586.tif 000023
【図２２】
2019200586.tif 000024
【図２３】
2019200586.tif 000025
【図２４】
2019200586.tif 000026
【図２５】
2019200586.tif 000027
【図２６】
2019200586.tif 000028